(57)【要約】【課題】手振れを防止できる撮影装置を提供する。【解決手段】カメラ本体１２に備えられたレリーズボタン２２の押下で撮影準備を行い、レリーズボタン２２の押下解除で撮影を行う。【選択図】      図４
2007101877.tif 000002
【特許請求の範囲】
【請求項１】
撮影装置本体と、
前記撮影装置本体に設けられた押下式のレリーズボタンと、
前記レリーズボタンの押下解除を検出する押下解除検出手段と、
前記押下解除検出手段で前記レリーズボタンの押下解除が検出されると、撮影が行われるように制御する制御手段と、
を備えたことを特徴とする撮影装置。
【請求項２】
前記レリーズボタンの押下を検出する押下検出手段を備え、前記制御手段は、前記押下検出手段で前記レリーズボタンの押下が検出されると、撮影準備が行われるように制御することを特徴とする請求項１に記載の撮影装置。
【請求項３】
撮影装置本体と、
前記撮影装置本体に設けられ、全押しと半押しからなる二段式のレリーズボタンと、
前記レリーズボタンの半押しを検出する半押し検出手段と、
前記レリーズボタンの全押しの解除を検出する全押し解除検出手段と、
前記半押し検出手段で前記レリーズボタンの半押しが検出されると、撮影準備が行われ、前記全押し解除検出手段で前記レリーズボタンの全押し解除が検出されると、撮影が行われるように制御する制御手段と、
を備えたことを特徴とする撮影装置。
【請求項４】
手振れ防止モードのＯＮ／ＯＦＦを切り換えるモード切換手段と、
前記レリーズボタンの全押しを検出する全押し検出手段と、
を備え、前記制御手段は、前記モード切換手段で手振れ防止モードがＯＮに設定されると、前記半押し検出手段による前記レリーズボタンの半押しの検出で撮影準備が行われ、前記全押し解除検出手段による前記レリーズボタンの全押し解除の検出で撮影が行われるように制御し、前記モード切換手段で手振れ防止モードがＯＦＦに設定されると、前記半押し検出手段による前記レリーズボタンの半押しの検出で撮影準備が行われ、前記全押し検出手段による前記レリーズボタンの全押しの検出で撮影が行われるように制御することを特徴とする請求項３に記載の撮影装置。
【請求項５】
前記モード切換手段は、撮影時のシャッタスピードが、あらかじめ設定されたシャッタスピードよりも遅いシャッタスピードに設定されると、自動で前記手振れ防止モードをＯＮに設定することを特徴とする請求項４に記載の撮影装置。
【請求項６】
撮影装置本体と、
前記撮影装置本体に設けられた接触式のレリーズボタンと、
前記レリーズボタンへの指の接触と接触解除を検出する検出手段と、
前記検出手段で接触解除が検出されると、撮影が行われるように制御する制御手段と、
を備えたことを特徴とする撮影装置。
【請求項７】
前記制御手段は、前記検出手段で接触が検出されると、撮影準備が行われるように制御することを特徴とする請求項６に記載の撮影装置。
【発明の詳細な説明】
【技術分野】
【０００１】
本発明は撮影装置に係り、特にレリーズボタンのボタン操作で撮影を実行する撮影装置に関する。
【背景技術】
【０００２】
ＡＥ（Automatic Exposure：自動露出）、ＡＦ（Auto Focus：自動焦点合わせ）機能を備えたカメラには、通常、「半押し」と「全押し」とからなる二段式のレリーズボタンが備えられており、このレリーズボタンの「半押し」でＡＥ／ＡＦが作動し、「全押し」で撮影が実行される。
【０００３】
ところで、このようにレリーズボタンの押下操作によって撮影を行う従来のカメラの場合、カメラ操作に慣れていない者が撮影を行うと、カメラをしっかりと構えることができないため、レリーズボタンを押下する際、手振れが発生してしまうという問題があった。
【０００４】
このため特許文献１に記載されたカメラでは、レリーズボタンを押下後、一定時間経過してから、撮影が行われるようにしている。
【特許文献１】特開２００１−２４９３７９号公報
【発明の開示】
【発明が解決しようとする課題】
【０００５】
しかしながら、特許文献１のカメラように、レリーズボタンの押下後、一定時間経過してから撮影が行われるように構成すると、撮影が遅れ、シャッタチャンスを逃してしまうという欠点があった。
【０００６】
本発明は、このような事情に鑑みてなされたもので、手振れを防止できる撮影装置を提供することを目的とする。
【課題を解決するための手段】
【０００７】
請求項１に係る発明は、前記目的を達成するために、撮影装置本体と、前記撮影装置本体に設けられた押下式のレリーズボタンと、前記レリーズボタンの押下解除を検出する押下解除検出手段と、前記押下解除検出手段で前記レリーズボタンの押下解除が検出されると、撮影が行われるように制御する制御手段と、を備えたことを特徴とする撮影装置を提供する。
【０００８】
請求項１に係る発明によれば、レリーズボタンを押下し、押下を解除したとき、すなわち、レリーズボタンから指を離したときに撮影が行われる。これにより、手振れの発生を防止することができる。
【０００９】
請求項２に係る発明は、前記目的を達成するために、前記レリーズボタンの押下を検出する押下検出手段を備え、前記制御手段は、前記押下検出手段で前記レリーズボタンの押下が検出されると、撮影準備が行われるように制御することを特徴とする請求項１に記載の撮影装置を提供する。
【００１０】
請求項２に係る発明によれば、レリーズボタンの押下で撮影準備が行われ、押下解除で撮影が行われる。
【００１１】
請求項３に係る発明は、前記目的を達成するために、撮影装置本体と、前記撮影装置本体に設けられ、全押しと半押しからなる二段式のレリーズボタンと、前記レリーズボタンの半押しを検出する半押し検出手段と、前記レリーズボタンの全押しの解除を検出する全押し解除検出手段と、前記半押し検出手段で前記レリーズボタンの半押しが検出されると、撮影準備が行われ、前記全押し解除検出手段で前記レリーズボタンの全押し解除が検出されると、撮影が行われるように制御する制御手段と、を備えたことを特徴とする撮影装置を提供する。
【００１２】
請求項３に係る発明によれば、レリーズボタンが、半押しと全押しとからなる二段式で構成される。そして、そのレリーズボタンの半押しで撮影準備が行われ、全押し解除で撮影が行われる。
【００１３】
請求項４に係る発明は、前記目的を達成するために、手振れ防止モードのＯＮ／ＯＦＦを切り換えるモード切換手段と、前記レリーズボタンの全押しを検出する全押し検出手段と、を備え、前記制御手段は、前記モード切換手段で手振れ防止モードがＯＮに設定されると、前記半押し検出手段による前記レリーズボタンの半押しの検出で撮影準備が行われ、前記全押し解除検出手段による前記レリーズボタンの全押し解除の検出で撮影が行われるように制御し、前記モード切換手段で手振れ防止モードがＯＦＦに設定されると、前記半押し検出手段による前記レリーズボタンの半押しの検出で撮影準備が行われ、前記全押し検出手段による前記レリーズボタンの全押しの検出で撮影が行われるように制御することを特徴とする請求項３に記載の撮影装置を提供する。
【００１４】
請求項４に係る発明によれば、手振れ防止モードがＯＮ設定されると、レリーズボタンの半押しで撮影準備が行われ、全押し解除で撮影が行われる。一方、手振れ防止モードがＯＦＦ設定されると、レリーズボタンの半押しで撮影準備が行われ、全押しで撮影が行われる。
【００１５】
請求項５に係る発明は、前記目的を達成するために、前記モード切換手段は、撮影時のシャッタスピードが、あらかじめ設定されたシャッタスピードよりも遅いシャッタスピードに設定されると、自動で前記手振れ防止モードをＯＮに設定することを特徴とする請求項４に記載の撮影装置を提供する。
【００１６】
請求項５に係る発明によれば、撮影時のシャッタスピードが、あらかじめ設定されたシャッタスピードよりも遅いシャッタスピードに設定されると、自動で手振れ防止モードがＯＮ設定される。
【００１７】
請求項６に係る発明は、前記目的を達成するために、撮影装置本体と、前記撮影装置本体に設けられた接触式のレリーズボタンと、前記レリーズボタンへの指の接触と接触解除を検出する検出手段と、前記検出手段で接触解除が検出されると、撮影が行われるように制御する制御手段と、を備えたことを特徴とする撮影装置を提供する。
【００１８】
請求項６に係る発明によれば、レリーズボタンが接触式で構成され、レリーズボタンに接触した指の接触解除で撮影が行われる。
【００１９】
請求項７に係る発明は、前記目的を達成するために、前記制御手段は、前記検出手段で接触が検出されると、撮影準備が行われるように制御することを特徴とする請求項６に記載の撮影装置を提供する。
【００２０】
請求項７に係る発明によれば、レリーズボタンへの指の接触で撮影準備が行われ、接触解除で撮影が行われる。
【発明の効果】
【００２１】
本発明に係る撮影装置によれば、操作に慣れていない者でも手振れを発生させることなく撮影することができる。
【発明を実施するための最良の形態】
【００２２】
以下、添付図面に従って本発明に係る撮影装置を実施するための最良の形態について説明する。
【００２３】
図１、図２は、それぞれ本発明が適用されたデジタルカメラの示す正面斜視図と背面斜視図である。
【００２４】
同図に示すように、本実施の形態のデジタルカメラ１０のカメラ本体１２は、横方向に細長い矩形の箱状に形成されている。
【００２５】
カメラ本体１２の正面には、図１に示すように、撮影レンズ１４、ファインダ窓１６、セルフタイマランプ１７、ストロボ１８、マイク２０等が設けられており、上面には、レリーズボタン２２、電源／モードスイッチ２４、モードダイヤル２６等が設けられている。
【００２６】
また、カメラ本体１２の背面には、図２に示すように、ファインダ接眼部２８、ファインダランプ２９、液晶モニタ３０、ズームボタン３２、十字ボタン３４、ＭＥＮＵ／ＯＫボタン３６、ＤＩＳＰボタン３８、ＢＡＣＫボタン４０、スピーカ４２等が設けられている。
【００２７】
なお、図示されていないが、カメラ本体１２の底面には、開閉自在なカバーが設けられており、このカバーの内側にバッテリを収納するためのバッテリ収納室と、メモリカードを装填するためのメモリカードスロットとが設けられている。
【００２８】
撮影レンズ１４は、沈胴式のズームレンズで構成されており、デジタルカメラの電源を投入すると、カメラ本体１２から繰り出される（撮影モード時）。
【００２９】
セルフタイマランプ１７は、ＬＥＤランプで構成されており、セルフタイマ撮影時、所定のタイミングで発光、点滅して、被写体に撮影のタイミングを告知する（たとえば、約５秒間点灯したのち点滅に変わり、さらに約５秒後に撮影が行われる）。
【００３０】
レリーズボタン２２は、押下式のボタンで構成され、押下によりＳＯＮ信号を出力する。デジタルカメラ１０は、このレリーズボタン２２の押下で撮影準備、すなわちＡＥ、ＡＦ、ＡＷＢ（Automatic White Balance：自動ホワイトバランス）を行い、押下解除で撮影を実行する。この点については、後に詳述する。
【００３１】
電源／モードスイッチ２４は、デジタルカメラ１０の電源をＯＮ／ＯＦＦする電源スイッチとして機能するとともに、デジタルカメラ１０のモードを設定するモードスイッチとして機能し、「ＯＦＦ位置」、「再生位置」、「撮影位置」の間をスライド自在に設けられている。デジタルカメラ１０は、この電源／モードスイッチ２４を「再生位置」又は「撮影位置」に合わせることにより、電源がＯＮになり、「ＯＦＦ位置」に合わせることにより、電源がＯＦＦになる。また、電源／モードスイッチ２４を「再生位置」に合わせることにより「再生モード」に設定され、「撮影位置」に合わせることにより「撮影モード」に設定される。そして、デジタルカメラ１０は「撮影モード」に設定されると、画像の記録が可能になり、「再生モード」に設定されると、記録済み画像の再生が可能になる。
【００３２】
モードダイヤル２６は、撮影モードの設定に用いられ、回転させて所定のポジションに設定することにより、カメラの撮影モードを所定のモード（たとえば、ＡＵＴＯモード、プログラムモード、絞り優先モード、シャッタ速度優先モード、マニュアルモード等）に設定する。
【００３３】
ファインダランプ２９は、ＬＥＤで構成されており、デジタルカメラの動作状況に応じて発光、点滅される。たとえば、撮影時に撮影準備が完了すると点灯し、規定のシャッタスピード以下で撮影しようとすると点滅する。
【００３４】
液晶モニタ３０は、カラー表示が可能な液晶ディスプレイで構成されている。この液晶モニタ３０は、撮影した画像の表示画面として利用されるとともに、各種設定時にユーザインターフェースとして利用される。また、撮影時に必要に応じてスルー画像が表示され、画角確認用の電子ファインダとして利用される。
【００３５】
ズームボタン３２は、望遠側へのズームを指示するズームテレボタン３２Ｔと、広角側へのズームを指示するズームワイドボタン３２Ｗとで構成され、このズームボタン３２が操作されることにより、撮影画角が変化する。
【００３６】
十字ボタン３４は、上下左右４方向に押圧操作することができるようにされており、各方向の指示を入力するボタンとして機能する。
【００３７】
ＭＥＮＵ／ＯＫボタン３６は、各モードの通常画面からメニュー画面への遷移を指示するボタン（ＭＥＮＵボタン）として機能するとともに、選択内容の確定、処理の実行等を指示するボタン（ＯＫボタン）として機能する。
【００３８】
ＤＩＳＰボタン３８は、背面表示パネルの表示内容の切り替えを指示するボタンとして機能し、ＢＡＣＫボタン４０は入力操作のキャンセル等を指示するボタンとして機能する。
【００３９】
図３はデジタルカメラ１０の電気的構成を示すブロック図である。
【００４０】
同図に示すように、デジタルカメラ１０は、ＣＰＵ１１０、操作部（レリーズボタン２２、電源／モードスイッチ２４、モードダイヤル２６、ズームボタン３２、十字ボタン３４、ＭＥＮＵ／ＯＫボタン３６、ＤＩＳＰボタン３８、ＢＡＣＫボタン４０等）１１２、ＲＯＭ１１６、ＥＥＰＲＯＭ１１８、メモリ（ＳＤＲＡＭ）１２０、ＶＲＡＭ１２２、撮影光学系１２６、フォーカスモータドライバ１２８、ズームモータドライバ１３０、アイリスモータドライバ１３２、撮像素子１３４、タイミングジェネレータ（ＴＧ）１３６、アナログ信号処理回路１３８、Ａ／Ｄ変換器１４０、画像入力コントローラ１４２、画像信号処理回路１４４、圧縮・伸張処理回路１４６、メディアコントローラ１４８、記憶メディア（メモリカード）１５０、エンコーダ１５２、ＡＥ／ＡＷＢ検出回路１５４、ＡＦ検出回路１５６、ストロボ制御回路１５８、音声入力処理回路１６０、音声出力処理回路１６２等で構成されている。
【００４１】
ＣＰＵ１１０は、デジタルカメラ１０の全体の動作を制御する制御部として機能するとともに、各種の演算処理を行う演算手段として機能し、操作部１１２からの入力に基づき所定の制御プログラムに従って各回路を制御する。
【００４２】
バス１１４を介して接続されたＲＯＭ１１６には、ＣＰＵ１１０が実行する制御プログラム及び制御に必要な各種データ等が格納されており、ＥＥＰＲＯＭ１１８には、ユーザ設定情報等のデジタルカメラ１０の動作に関する各種設定情報等が格納されている。
【００４３】
メモリ（ＳＤＲＡＭ）１２０は、ＣＰＵ１１０の演算作業用領域として利用されるとともに、画像データの一時記憶領域として利用され、ＶＲＡＭ１２２は、表示用の画像データ専用の一時記憶領域として利用される。
【００４４】
撮影光学系１２６は、撮影レンズ１４と絞り５０とで構成されている。
【００４５】
撮影レンズ１４は、図示しないフォーカスモータに駆動されて光軸に沿って前後移動するフォーカスレンズ１４Ｆと、図示しないズームモータに駆動されて光軸に沿って前後移動するズームレンズ１４Ｚとを備えている。ＣＰＵ１１０は、フォーカスモータドライバ１２８を介してフォーカスモータの駆動を制御することにより、撮影レンズ１４のフォーカスを制御し、ズームモータドライバ１３０を介してズームモータの駆動を制御することにより、撮影レンズ１４のズームを制御する。
【００４６】
絞り５０は、図示しないアイリスモータに駆動されることにより、開口量（絞り値）が変化する。ＣＰＵ１１０は、アイリスモータドライバ１３２を介してアイリスモータの駆動を制御することにより、絞り５０の絞り値を制御する。
【００４７】
撮像素子１３４は、所定のカラーフィルタ配列（たとえば、ベイヤ配列）のカラーＣＣＤで構成されている。撮影光学系１２６を介して撮像素子１３４の受光面に入射した光は、その受光面に配列された各フォトダイオードによって入射光量に応じた量の信号電荷に変換される。
【００４８】
タイミングジェネレータ（ＴＧ）１３６は、ＣＰＵ１１０からの指令に従い、主として撮像素子１３４を駆動するためのタイミング信号を生成する。撮像素子１３４は、このタイミングジェネレータ１３６から加えられるタイミング信号に従って各フォトダイオードに蓄積された信号電荷を電圧信号（画像信号）として出力する。
【００４９】
アナログ信号処理回路１３８は、撮像素子１３４から順次出力される画像信号を相関二重サンプリング処理するとともに増幅する。Ａ／Ｄ変換器１４０は、このアナログ信号処理回路１３８から出力されたＲ、Ｇ、Ｂのアナログの画像信号をデジタルの画像信号に変換する。
【００５０】
画像入力コントローラ１４２は、所定容量のバッファメモリを内蔵しており、Ａ／Ｄ変換器１４０から出力された１コマ分の画像信号を蓄積して、メモリ１２０に格納する。
【００５１】
画像信号処理回路１４４は、同時化回路、ガンマ補正回路、輪郭補正回路、輝度・色差信号生成回路等を含み、ＣＰＵ１１０からの指令に従ってメモリ１２０に格納された画像信号を処理し、輝度信号と色差信号とからなるＹＵＶ信号を生成する。
【００５２】
液晶モニタ３０にスルー画像を表示させる場合は、撮像素子１３４で連続的に画像を撮像し、得られた画像信号を連続的に処理してＹＵＶ信号を生成する。生成されたＹＵＶ信号は、ＶＲＡＭ１２２を介してエンコーダ１５２に加えられ、液晶表示用の信号形式に変換されて液晶モニタ３０に出力される。これにより、液晶モニタ３０にスルー画像が表示される。ユーザは、この液晶モニタ３０に表示されたスルー画像を見ながら構図やピントの調整を行うことができる。すなわち、この液晶モニタ３０をファインダとして使いながら撮影することができる。
【００５３】
画像を記録する場合は、撮影指令に応じて撮像素子１３４で画像を撮像し、得られた画像信号を画像信号処理回路１４４で処理してＹＵＶ信号を生成する。画像信号処理回路１４４で生成されたＹＵＶ信号は、圧縮・伸張処理回路１４６に加えられ、所定の圧縮画像データとされたのち、メディアコントローラ１４８を介して記憶メディア（メモリカード）１５０に記録される。
【００５４】
記憶メディア１５０に記録された圧縮画像データは、再生指令に応じてメディアコントローラ１４８を介して読み出され、圧縮・伸張処理回路１４６で非圧縮のＹＵＶ信号とされた後、エンコーダ１５２を介して液晶モニタ３０に出力される。これにより、記憶メディア１５０に記録された画像が液晶モニタ３０に再生表示される。
【００５５】
ＡＥ／ＡＷＢ検出回路１５４は、ＣＰＵ１１０からの指令に従って、入力された画像信号からＡＥ制御及びＡＷＢ制御に必要な物理量を算出する。たとえば、ＡＥ制御に必要な物理量として、１画面を複数のエリア（例えば、１６×１６）に分割し、分割したエリアごとにＲ、Ｇ、Ｂの画像信号の積算値を算出する。ＣＰＵ１１０は、このＡＥ／ＡＷＢ検出回路１５４から得た積算値に基づいて被写体の明るさ（被写体輝度）を検出し、所定のプログラム線図から絞り値とシャッタスピードを決定する。
【００５６】
また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００５７】
ＡＦ検出回路１５６は、ＣＰＵ１１０からの指令に従って、入力された画像信号からＡＦ制御に必要な物理量を算出する。本実施の形態のデジタルカメラ１０では、画像のコントラストによりＡＦ制御を行うものとし、ＡＦ検出回路１５６は、入力された画像信号から画像の鮮鋭度を示す焦点評価値を算出する。ＣＰＵ１１０は、このＡＦ検出回路１５６で算出される焦点評価値が極大となるように、フォーカスモータドライバ１２８を介してフォーカスモータを駆動し、フォーカスレンズ１４Ｆの移動を制御する。
【００５８】
ストロボ制御回路１５８は、ＣＰＵ１１０からの指令に従ってストロボ１８の発光を制御する。
【００５９】
音声入力処理回路１６０は、ＣＰＵ１１０からの指令に従ってマイク２０を介して入力された音声信号を処理し、音声出力処理回路１６２は、ＣＰＵ１１０からの指令に従ってスピーカ４２から出力するための音声信号を処理する。
【００６０】
前記のごとく構成された本実施の形態のデジタルカメラ１０の作用は次のとおりである。
【００６１】
上記のように本実施の形態のデジタルカメラ１０では、レリーズボタン２２の押下で撮影準備、すなわちＡＥ、ＡＦ、ＡＷＢを行い、押下解除で撮影を実行する。
【００６２】
図４は、本実施の形態のデジタルカメラ１０の撮影時の処理手順を示すフローチャートである。
【００６３】
ＣＰＵ１１０は、操作部１１２からの入力に基づいてカメラのモードが撮影モードに設定されたか否か判定する（ステップＳ１０）。
【００６４】
撮影モードに設定されたと判定すると、ＣＰＵ１１０は、操作部１１２からの入力に基づいてレリーズボタン２２が押下されたか否か判定する（ステップＳ１１）。なお、レリーズボタン２２は押下されると、ＣＰＵ１１０にＳＯＮ信号を出力するので、ＣＰＵ１１０は、このＳＯＮ信号の入力をもってレリーズボタン２２が押下されたことを検出する。
【００６５】
そして、このレリーズボタン２２が押下されたと判定すると、ＣＰＵ１１０は、撮影準備制御を行う（ステップＳ１２）。すなわち、ＡＥ、ＡＦ、ＡＷＢ制御を実行する。
【００６６】
まず、レリーズ信号の入力に応じて撮影準備用の画像が撮像素子１３４で撮像される。撮像素子１３４から出力された画像信号は、アナログ信号処理回路１３８、Ａ／Ｄ変換器１４０、画像入力コントローラ１４２を介してメモリ１２０に取り込まれ、メモリ１２０からＡＥ／ＡＷＢ検出回路１５４及びＡＦ検出回路１５６に加えられる。
【００６７】
ＡＥ／ＡＷＢ検出回路１５４は、入力された画像信号からＡＥ制御及びＡＷＢ制御に必要な物理量を算出し、ＣＰＵ１１０に出力する。ＣＰＵ１１０は、このＡＥ／ＡＷＢ検出回路１５４からの出力に基づき露出値（絞り値とシャッタスピード）とホワイトバランス補正値を決定する。
【００６８】
また、ＡＦ検出回路１５６は、入力された画像信号からＡＦ制御に必要な物理量を算出し、ＣＰＵ１１０に出力する。ＣＰＵ１１０は、このＡＦ検出回路１５６からの出力に基づいてフォーカスモータの駆動を制御し、撮影レンズ１４のピントを主要被写体に合わせる。
【００６９】
このように、ＣＰＵ１１０は、レリーズボタン２２の押下に応動して撮影準備を行う（ステップＳ１２）。この後、ＣＰＵ１１０は、操作部１１２からの入力に基づいてレリーズボタン２２の押下が解除されたか否かを判定する（ステップＳ１３）。すなわち、レリーズボタン２２からのＳＯＮ信号の入力がＯＦＦされた否か検出する。
【００７０】
そして、レリーズボタン２２の押下が解除、すなわち、レリーズボタン２２から指が離されたと判定すると、ＣＰＵ１１０は、撮影準備が完了したか否か判定し（ステップＳ１４）、撮影準備の完了後、撮影、記録処理を実行する（ステップＳ１５）。
【００７１】
まず、上記の撮影準備で求めた露出値で撮像素子１３４を露光する。撮像素子１３４から出力された画像信号は、アナログ信号処理回路１３８、Ａ／Ｄ変換器１４０、画像入力コントローラ１４２を介してメモリ１２０に取り込まれ、メモリ１２０から画像信号処理回路１４４に加えられる。画像信号処理回路１４４は、入力された画像信号に対して所要の信号処理を施して画像データ（ＹＵＶデータ）を生成する。生成された画像データは、一旦メモリ１２０に格納されたのち、圧縮・伸張処理回路１４６に加えられ、所定の圧縮フォーマットで圧縮されて、再度、メモリ１２０に格納される。ＣＰＵ１１０は、このメモリ１２０に格納された圧縮画像データに対して撮影日時や絞り値、シャッタスピードなどの付属情報を付加した所定フォーマット（たとえばＥｘｉｆ）の画像ファイルを生成し、メディアコントローラ１４８を介して記憶メディアに記録する。
【００７２】
このように、本実施の形態のデジタルカメラ１０によれば、レリーズボタン２２の押下解除で撮影が行われるため、撮影に不慣れな者であっても手振れを発生させることなく撮影することができる。すなわち、一般に手振れは、レリーズボタン２２を指で押し込む操作によって生じることから、本実施の形態のデジタルカメラ１０のように、指をレリーズボタン２２から離す時に撮影が行われるように構成することにより、手振れの発生を効果的に防止することができる。
【００７３】
なお、本実施の形態では、レリーズボタン２２の押下で撮影準備を行い、押下解除で撮影を行うようにしているが、いわゆるＡＥ／ＡＦ機能のないカメラの場合には、押下では何も行わず、押下解除で撮影を行うようにする。
【００７４】
また、本実施の形態では、レリーズボタン２２が、半押しと全押しからなる二段式のレリーズボタンの場合には、半押しで撮影準備を行い、全押し解除で撮影が行われるように構成する。
【００７５】
図５は、二段式のレリーズボタンを使用した場合の撮影処理の手順を示すフローチャートである。
【００７６】
なお、二段式のレリーズボタンの場合、半押しでＳ１ＯＮ信号を出力し、全押しでＳ２ＯＮを出力するものとする。
【００７７】
ＣＰＵ１１０は、操作部１１２からの入力に基づいてカメラのモードが撮影モードに設定されたか否か判定する（ステップＳ２０）。
【００７８】
撮影モードに設定されたと判定すると、ＣＰＵ１１０は、操作部１１２からの入力に基づいてレリーズボタン２２が半押しされたか否か判定する（ステップＳ２１）。上記のように、レリーズボタン２２は半押しされると、ＣＰＵ１１０にＳ１ＯＮ信号を出力するので、ＣＰＵ１１０は、このＳ１ＯＮ信号の入力をもってレリーズボタン２２が半押しされたことを検出する。そして、このレリーズボタン２２が半押しされたと判定すると、ＣＰＵ１１０は、撮影準備制御を行う（ステップＳ１２）。
【００７９】
この後、ＣＰＵ１１０は、操作部１１２からの入力に基づいてレリーズボタン２２の半押しが解除されたか否かを判定する（ステップＳ１４）。すなわち、レリーズボタン２２からのＳ１ＯＮ信号の入力がＯＦＦされた否か検出する。
【００８０】
レリーズボタン２２の半押しが解除されたと判定した場合は、ステップＳ２１に戻り、再度、レリーズボタン２２が半押しされたか否か判定する。
【００８１】
一方、レリーズボタン２２の半押しが解除されていないと判定すると、ＣＰＵ１１０は、次に、レリーズボタン２２が全押しされたか否か判定する（ステップＳ２４）。上記のように、レリーズボタン２２は全押しされると、ＣＰＵ１１０にＳ２ＯＮ信号を出力するので、ＣＰＵ１１０は、このＳ２ＯＮ信号の入力をもってレリーズボタン２２が半押しされたことを検出する。
【００８２】
なお、レリーズボタン２２を全押した場合もＳ１ＯＮ信号は継続して出力され、Ｓ１ＯＮとＳ２ＯＮの双方がＣＰＵ１１０に入力される。
【００８３】
ＣＰＵ１１０は、レリーズボタン２２が全押しされたと判定すると、全押しが解除されたか否か判定する（ステップＳ２５）。すなわち、レリーズボタン２２からのＳ２ＯＮ信号の入力がＯＦＦされた否か検出する。
【００８４】
なお、レリーズボタン２２が全押しされていないと判定すると、ステップＳ２３に戻り、ＣＰＵ１１０は、再度レリーズボタン２２の半押しが解除されたか否か判定する。
【００８５】
ステップＳ２５でレリーズボタン２２の全押しが解除されたと判定すると、すなわち、レリーズボタン２２から指が離れたと判定すると、ＣＰＵ１１０は、撮影準備が完了したか否か判定し（ステップＳ２６）、撮影準備の完了後、撮影、記録処理を実行する（ステップＳ２７）。
【００８６】
このように、二段式のレリーズボタンの場合には、レリーズボタン２２の半押しで撮影準備を行い、全押し後の全押し解除で撮影を行う。これにより、撮影に不慣れな者であっても手振れを発生させることなく撮影することができる。
【００８７】
なお、このように二段式のレリーズボタンの場合には、通常の撮影処理と手振れ補正の撮影処理とを選択できるようにしてもよい。すなわち、手振れ防止モードのＯＮ／ＯＦＦを切り換える手段を用意し、この切換手段で手振れ防止モードをＯＮ設定すると、レリーズボタン２２の半押しで撮影準備を行い、全押し解除で撮影を行うように制御する。一方、手振れ防止モードをＯＦＦ設定したときは、レリーズボタン２２の半押しで撮影準備を行い、全押しで撮影を行うように制御する。
【００８８】
これにより、ユーザの撮影スタイルや撮影状況等に応じて撮影方法を選択することができ、使い勝手が向上する。
【００８９】
なお、手振れ防止モードのＯＮ／ＯＦＦの切り換えは、たとえば、専用の切り換えボタンを設けてもよいし、また、メニュー画面等で切り換えるようにしてもよい。
【００９０】
また、ＡＥ処理の結果求めた撮影時のシャッタスピードが、規定のシャッタスピード（たとえば、１／６０ｓや１／焦点距離（３５ｍｍ換算）など）よりも遅くなった場合には、自動的に手振れ防止モードがＯＮ設定されるように構成してもよい。この場合、ユーザが任意に自動切換の機能をＯＮ／ＯＦＦできるようにすることが好ましい。
【００９１】
また、本実施の形態では、押下式のレリーズボタンを用いているが、接触式のレリーズボタン（いわゆる、タッチセンサ方式のレリーズボタン）を用いることもできる。この場合、レリーズボタンへの指の接触で撮影準備を行い（ＡＥ／ＡＦ機能を備えている場合のみ実施）、接触解除で撮影を行うように構成する。
【００９２】
また、本実施の形態では、レリーズボタンの押下（半押し）で撮影準備を行い、押下解除（全押し解除）で撮影を行うようにしているが、押下（半押し）で撮影を行うとともに、押下解除（全押し解除）でも撮影を行うようにしてもよい。この場合、撮影後に画像を液晶モニタ３０にプレビュー表示し、記録の有無を問い合わせた上で画像をメモリカード１５０に記録するようにしてもよい。
【００９３】
また、上記一連の実施の形態では、本発明をデジタルカメラに適用した場合を例に説明したが、本発明の適用は、これに限定されるものではなく、フィルムカメラにも適用することができる。また、カメラ機能を備えた携帯電話機やビデオカメラにも適用することができる。ビデオカメラに適用した場合には、たとえば、押下解除（全押し解除）で撮影が開始するように構成する。
【図面の簡単な説明】
【００９４】
【図１】本発明が適用されたデジタルカメラの正面斜視図
【図２】本発明が適用されたデジタルカメラの背面斜視図
【図３】デジタルカメラの電気的構成を示すブロック図
【図４】デジタルカメラの撮影時の処理手順を示すフローチャート
【図５】二段式のレリーズボタンを用いたときの撮影処理の手順を示すフローチャート
【符号の説明】
【００９５】
１０…デジタルカメラ、１２…カメラ本体、１４…撮影レンズ、１４Ｆ…フォーカスレンズ、１４Ｚ…ズームレンズ、１６…ファインダ窓、１７…セルフタイマランプ、１８…ストロボ、２０…マイク、２２…レリーズボタン、２４…電源／モードスイッチ、２６…モードダイヤル、２８…ファインダ接眼部、２９…ファインダランプ、３０…液晶モニタ、３２…ズームボタン、３４…十字ボタン、３６…ＭＥＮＵ／ＯＫボタン、３８…ＤＩＳＰボタン、４０…ＢＡＣＫボタン、４２…スピーカ、４４…ＵＳＢ端子、４６…電源端子、４８…ＡＶ出力端子、５０…絞り、１１０…ＣＰＵ、１１２…操作部、１１４…バス、１１６…ＲＯＭ、１１８…ＥＥＰＲＯＭ、１２０…メモリ（ＳＤＲＡＭ）、１２２…ＶＲＡＭ、１２６…撮影光学系、１２８…フォーカスモータドライバ、１３０…ズームモータドライバ、１３２…アイリスモータドライバ、１３４…撮像素子、１３６…タイミングジェネレータ（ＴＧ）、１３８…アナログ信号処理回路、１４０…Ａ／Ｄ変換器、１４２…画像入力コントローラ、１４４…画像信号処理回路、１４６…圧縮・伸張処理回路、１４８…メディアコントローラ、１５０…記憶メディア（メモリカード）、１５２…エンコーダ、１５４…ＡＥ／ＡＷＢ検出回路、１５６…ＡＦ検出回路、１５８…ストロボ制御回路、１６０…音声入力処理回路、１６２…音声出力処理回路
【図１】
2007101877.tif 000003
【図２】
2007101877.tif 000004
【図３】
2007101877.tif 000005
【図４】
2007101877.tif 000006
【図５】
2007101877.tif 000007